(57)【要約】【課題】容器に対する保持力を十分に高め得るストロー保持具及びそれを見栄え良く収容可能な陳列用収容箱を提供する。【解決手段】素材の弾性を利用して容器Ｋの上端部を着脱自在に保持する容器保持部１１と、ストローＳの途中部を保持するストロー保持孔１２とを有するストロー保持具１０であって、容器保持部１１は、容器Ｋの内側に配置される内側保持部１３と、容器Ｋの外側に配置される外側保持部１４とを備え、内外の保持部１３、１４の下部に略隙間なく対面する挟持面１３ａ、１４ａを形成し、内外の保持部１３、１４の基部に容器Ｋの上端部を収容可能な収容凹部１３ｂ、１４ｂを形成した。【選択図】        図２
0003123766.tif 000002
【実用新案登録請求の範囲】
【請求項１】
素材の弾性を利用して容器の上端部を着脱自在に保持する容器保持部と、ストローの途中部を保持するストロー保持孔とを有するストロー保持具であって、
前記容器保持部は、容器の内側に配置される内側保持部と、容器の外側に配置される外側保持部とを備え、内外の保持部の下部に略隙間なく対面する挟持面を形成し、内外の保持部の基部に容器の上端部を収容可能な収容凹部を形成した、
ことを特徴とするストロー保持具。
【請求項２】
前記内側保持部を外側保持部よりも短尺に構成した請求項１記載のストロー保持具。
【請求項３】
前記外側保持部の挟持方向の厚さを内側保持部の挟持方向の厚さよりも厚肉に構成した請求項１又は２記載のストロー保持具。
【請求項４】
前記ストロー保持具を発泡倍率が１０〜２０倍のポリエチレン樹脂発泡体で構成した請求項１〜３のいずれか１項記載のストロー保持具。
【請求項５】
前記ストロー保持具を食品衛生法に適合する素材で構成した請求項１〜４のいずれか１項記載のストロー保持具。
【請求項６】
前記ストロー保持具を、中性洗剤で洗って乾燥することで、繰り返して利用な素材で構成した請求項１〜５のいずれか１項記載のストロー保持具。
【請求項７】
発泡合成樹脂板をその厚さ方向に打ち抜いて鳥類を模した外縁形状に形成し、容器保持部により鳥類の足部を形成するとともに、鳥類の尾翼部にストロー保持孔としての貫通孔を、発泡合成樹脂板を厚さ方向と直交方向に打ち抜いて形成した請求項１〜６のいずれか１項記載のストロー保持具。
【請求項８】
前記発泡合成樹脂板として、板厚が１０〜１８ｍｍのものを用いた請求項７記載のストロー保持具。
【請求項９】
請求項７又は８記載のストロー保持具を複数１セットにして収容するストロー保持具の陳列用収容箱であって、
前記ストロー保持具をその厚さ方向に対して略隙間なく装填可能な扁平な透明ケースと、前記透明ケースよりも扁平な角筒状の中敷きとを備え、
前記中敷きの正面部に前記ストロー保持具の外縁形状に適合する複数の嵌め込み孔を形成し、嵌め込み孔にストロー保持具を装填した状態で、中敷きとともに複数のストロー保持具を透明ケース内に装填可能となした、
ことを特徴とするストロー保持具の陳列用収容箱。
【請求項１０】
前記透明ケースの後面部に上方へ延び突片を一体的に設け、この突片に引っ掛け孔を形成した請求項９記載のストロー保持具の陳列用収容箱。
【請求項１１】
前記ストロー保持具として、形状と色のいずれか一方の異なるストロー保持具を嵌め込み孔に装填して、中敷きとともに複数のストロー保持具を透明ケース内に装填可能となした請求項９又は１０記載のストロー保持具の陳列用収容箱。
【考案の詳細な説明】
【技術分野】
【０００１】
本考案は、コップやカップなどの容器にストローを保持するためのストロー保持具及びその陳列用収容箱に関する。
【背景技術】
【０００２】
コップやカップなどの容器にストローを保持するためのストロー保持具として、ストロー保持部分を有する掴持部と、メッセージ保持部分を有する挟持部が一体或いは別々に形成され、且つ、脚部にコップ嵌着部が設けられたコップ用飾りが提案されている（例えば、特許文献１参照。）。
【０００３】
【特許文献１】実開昭６１−５１７６号公報
【考案の開示】
【考案が解決しようとする課題】
【０００４】
ところで、このようなストロー保持具は、基本的には健常者向けに設計されている関係上、容器に対するストロー保持具の保持力が弱く、握力の弱いお年寄りや体の不自由な者が、ストローを摘まむことなく、飲料を飲もうとすると、ストローが口元や頬に当たって、ストロー保持具が容器から脱落することがあった。
【０００５】
本考案の目的は、容器に対する保持力を十分に高め得るストロー保持具及びそれを見栄え良く収容可能な陳列用収容箱を提供することである。
【課題を解決するための手段】
【０００６】
本考案に係るストロー保持具は、素材の弾性を利用して容器の上端部を着脱自在に保持する容器保持部と、ストローの途中部を保持するストロー保持孔とを有するストロー保持具であって、前記容器保持部は、容器の内側に配置される内側保持部と、容器の外側に配置される外側保持部とを備え、内外の保持部の下部に略隙間なく対面する挟持面を形成し、内外の保持部の基部に容器の上端部を収容可能な収容凹部を形成したものである。
【０００７】
このストロー保持具では、ストロー保持孔にストローを挿入固定するとともに、ストロー保持具を容器に固定し、ストロー保持具に保持させたストローを用いて、飲料やスープなどの容器内の内容物を飲むことになる。ストロー保持孔に対するストローの固定は、ストロー保持孔にストローを挿入することで、ストロー保持具に対してストローを脱落しないように確実に保持することができる。また、容器に対するストロー保持具の固定は、コップやカップなどの容器の上端部を内外の保持部間に挿入し、両保持部の挟持面間に容器の上端近傍部を挟持して行うことになるが、内外の保持部の基部には容器の上端部を収容可能な収容凹部が形成されているので、内外の保持部の基部に容器の上端部が圧接されることによる両挟持面の拡開を防止して、容器の上端近傍部に挟持面を十分に密着させてストロー保持具を容器に固定することができる。このため、ストロー保持具に対して多少大きな外力が作用したとしても、ストローがストロー保持具から脱落したり、ストロー保持具が容器から脱落したりすることを効果的に防止することができ、握力の弱いお年寄りや体の不自由な者であっても、ストローを摘まむことなく、内容物を容易に飲むことが可能となる。
【０００８】
ここで、前記内側保持部を外側保持部よりも短尺に構成することができる。このように構成すると、内側保持部の下端部が容器内の内容物に漬かってしまうことを極力防止できるとともに、ストロー保持具を容器の上端部に固定するときに、外側保持部で容器の上端部を案内しながら両保持部間に容器の上端部を挿入できるので、容器に対するストロー保持具の組付性を向上できる。
【０００９】
前記外側保持部の挟持方向の厚さを内側保持部の挟持方向の厚さよりも厚肉に構成することも好ましい実施の形態である。このように構成すると、外側保持部の弾性変形によるストロー保持具のグラツキを抑制して、ストロー保持具を安定性良く容器に固定することができる。
【００１０】
前記ストロー保持具を発泡倍率が１０〜２０倍のポリエチレン樹脂発泡体で構成することが好ましい。ストロー保持具は、任意の素材で構成することが可能であるが、ポリエチレン樹脂発泡体で構成すると、軽量且つ安価に製作可能で、しかも素材の弾性を利用してストロー保持具を十分な保持力で容器に固定保持することができ、ストロー保持具に接触した内容物に口に入れても健康を害することがないので好ましい。
【００１１】
前記ストロー保持具を食品衛生法に適合する素材で構成することができる。つまり、ストロー保持具は、容器内の内容物に接触する可能性のある部材であることから、食品衛生法に適合する人体に優しい素材で構成することが好ましい。
【００１２】
前記ストロー保持具を、中性洗剤で洗って乾燥することで、繰り返して利用な素材で構成した。ストロー保持具は、任意の素材で構成できるが、中性洗剤で洗って乾燥することで、繰り返して利用可能な素材で構成すると、ストロー保持具の衛生を保ちつつ資源の無駄使いを極力少なくできる。
【００１３】
発泡合成樹脂板をその厚さ方向に打ち抜いて鳥類を模した外縁形状に形成し、容器保持部により鳥類の足部を形成するとともに、鳥類の尾翼部にストロー保持孔としての貫通孔を、発泡合成樹脂板を厚さ方向と直交方向に打ち抜いて形成することもできる。このようなストロー保持具は、意匠的にも可愛らしく面白みがあるとともに、容易に且つ安価に製作できるので好ましい。
【００１４】
前記発泡合成樹脂板として、板厚が１０〜１８ｍｍのものを用いることが好ましい。発泡合成樹脂板の厚さが１０ｍｍ未満の場合には、容器に対するストロー保持具のグラツキが大きくなり、１８ｍｍを超えると、ストロー保持具を容器に対して取り付け難くなるとともに、製作コストが高くなるので、１０〜１８ｍｍに設定することが好ましい。
【００１５】
本考案に係るストロー保持具の陳列用収容箱は、前記鳥類を模した外縁形状に形成したストロー保持具を複数１セットにして収容するストロー保持具の陳列用収容箱であって、前記ストロー保持具をその厚さ方向に対して略隙間なく装填可能な扁平な透明ケースと、前記透明ケースよりも扁平な角筒状の中敷きとを備え、前記中敷きの正面部に前記ストロー保持具の外縁形状に適合する複数の嵌め込み孔を形成し、嵌め込み孔にストロー保持具を装填した状態で、中敷きとともに複数のストロー保持具を透明ケース内に装填可能となしたものである。
【００１６】
この陳列用収容箱では、中敷きの正面部に形成した嵌め込み孔にストロー保持具をセットすることで、複数のストロー保持具を陳列用収容箱に整然とセットでき、しかも透明ケースに中敷きとともにセットするので、透明ケース内に整然とセットされた複数のストロー保持具を、透明ケースの正面部を通して目視可能に体裁よく陳列することができる。また、中敷きの後面に対して取り扱い説明等を印刷することで、透明ケースに対する印刷を極力少なくしつつ、見栄えの良い陳列用収容箱を構成できる。
【００１７】
前記透明ケースの後面部に上方へ延び突片を一体的に設け、この突片に引っ掛け孔を形成することが好ましい実施の形態である。このような引っ掛け孔を形成すると、片持ち状に配置した陳列用ハンガーに引っ掛け孔を挿通させて、陳列用収容箱を前後に複数吊るした状態で陳列できるので、陳列スペースを少なくして効率の良い陳列が可能となる。
【００１８】
前記ストロー保持具として、形状と色のいずれか一方の異なるストロー保持具を嵌め込み孔に装填して、中敷きとともに複数のストロー保持具を透明ケース内に装填可能とすることも好ましい実施の形態である。この場合には、透明ケースに形状や色の異なるストロー保持具を装填することで、製品のバリエーションを容易に増やすことができる。また、利用者にとっては、ストロー保持具の形状や色で、自分の使用しているストロー保持具と他の人の使用しているストロー保持具とを容易に区別することができる。
【考案の効果】
【００１９】
本考案に係るストロー保持具によれば、ストロー保持孔に対するストローの固定は、ストロー保持孔にストローを挿入することで、ストロー保持具に対してストローを脱落しないように確実に保持することができ、また容器に対するストロー保持具の固定は、コップやカップなどの容器の上端部を内外の保持部間に挿入し、両保持部の挟持面間に容器の上端近傍部を挟持して行うことになるが、内外の保持部の基部には容器の上端部を収容可能な収容凹部が形成されているので、内外の保持部の基部に容器の上端部が圧接されることによる両挟持面の拡開を防止して、容器の上端近傍部に挟持面を十分に密着させてストロー保持具を容器に固定することができる。このため、ストロー保持具に対して多少大きな外力が作用したとしても、ストローがストロー保持具から脱落したり、ストロー保持具が容器から脱落したりすることを効果的に防止することができ、握力の弱いお年寄りや体の不自由な者であっても、ストローを摘まむことなく、内容物を容易に飲むことが可能となる。
【００２０】
本考案に係る陳列用収容箱によれば、中敷きの正面部に形成した嵌め込み孔にストロー保持具をセットすることで、複数のストロー保持具を陳列用収容箱に整然とセットでき、しかも透明ケースに中敷きとともにセットするので、透明ケース内に整然とセットされた複数のストロー保持具を、透明ケースの正面部を通して目視可能に体裁よく陳列することができる。また、中敷きの後面に対して取り扱い説明等を印刷することで、透明ケースに対する印刷を極力少なくしつつ、見栄えの良い陳列用収容箱を構成できる。
【考案を実施するための最良の形態】
【００２１】
以下、本考案を実施するための最良の形態について図面を参照しながら説明する。
図１、図２に示すように、ストロー保持具１０は、素材の弾性を利用してコップやカップなどの容器Ｋの上端部を着脱自在に保持する容器保持部１１と、ストローＳの途中部を保持するストロー保持孔１２とを有するストロー保持具１０であって、容器保持部１１は、容器Ｋの内側に配置される内側保持部１３と、容器Ｋの外側に配置される外側保持部１４とを備え、内外の保持部１３、１４の下部に略隙間なく対面する挟持面１３ａ、１４ａを形成し、内外の保持部１３、１４の基部に容器Ｋの上端部を収容可能な収容凹部１３ｂ、１４ｂを形成したものである。
【００２２】
ストロー保持具１０は、弾性変形可能な素材であれば任意の素材で構成することができるが、容器内の内容物に接触する可能性のある部材であることから、食品衛生法に適合する人体に優し素材で、しかも中性洗剤で洗って乾燥することで繰り返し使用できる素材で構成することが好ましく、ポリスチレンやポリエチレンやポリプロピレンなどの発泡成形体で構成することができる。特に、軽量且つ安価で、しかも容器保持部１１による挟持力を十分に確保できることから、発泡倍率が１０〜２０倍、好ましくは１２〜１５倍のポリエチレン樹脂発泡体で構成することが望ましい。また、ストロー保持具１０の表面部にスキン層を形成して、ストロー保持具１０に対して水分等が染み込むことを防止することが好ましい。
【００２３】
ストロー保持具１０の形状は、任意に設定可能である。本実施の形態では、図３に示すように、オウム、文鳥、ツバメの３種類の鳥類の側面形状を模した外縁形状に形成したストロー保持具１０Ａ、１０Ｂ、１０Ｃを製作したが、鳥類以外の哺乳類や魚類や爬虫類、映画やアニメや小説などのキャラクターの形状に形成することも可能である。
【００２４】
ストロー保持具１０Ａ、１０Ｂ、１０Ｃは、図４に示すように、前述のような素材からなる発泡合成樹脂板１８を厚さ方向に打ち抜いて、頭部１５と胴体部１６と尾翼部１７と、容器保持部１１からなる足部を有する鳥類の側面形状に模した外縁形状に形成し、その後尾翼部１７の基部にストロー保持孔１２を打ち抜いて製作されている。発泡合成樹脂板１８の板厚は、１０ｍｍ未満の場合には、容器Ｋに対するストロー保持具１０のグラツキが大きくなり、１８ｍｍを超えると、ストロー保持具１０を容器Ｋに対して取り付け難くなるとともに、製作コストが高くなるので、１０〜１８ｍｍに設定することが好ましい。但し、1枚の発泡合成樹脂板１８におけるストロー保持具１０の取り数は、本実施の形態では３つに設定したが、３つ以外の個数に設定することも可能である。また、形状の異なる３種類のストロー保持具１０Ａ、１０Ｂ、１０Ｃを一度に打ち抜くように構成したが、同じ形状の複数のストロー保持具１０を同時に打ち抜くように構成することも可能である。更に、ストロー保持具１０は、金型内において予備発泡ビーズを発泡融着させて成形することも可能である。
【００２５】
図１、図２に示すように、鳥類に模したストロー保持部１０の頭部１５側及び尾翼部１７側には、鳥類の足部を模して、胴体部１６から下方へ延びる内側保持部１３及び外側保持部１４が一体的に形成され、両保持部１３、１４により容器保持部１１が構成されている。内外の保持部１３、１４の下部には略隙間なく対面する挟持面１３ａ、１４ａが切り込みによって形成され、内外の保持部の基部には容器Ｋの上端部を収容可能な収容凹部１３ｂ、１４ｂが打ち抜きによって形成されている。そして、図２に示すように、ストロー保持具１０を容器Ｋの上端部に取り付けた状態において、容器Ｋの厚さ分だけ両保持部１３、１４が弾性変形して、両挟持面１３ａ、１４ａが容器Ｋの内周面及び外周面に圧接され、また収容凹部１３ｂ、１４ｂ内に容器Ｋの上端部を配置させることで、両保持部１３、１４の弾性変形による反力の略全部を両挟持面１３ａ、１４ａを介して容器Ｋに作用させて、強固に容器Ｋの上端部を保持できるように構成されている。
【００２６】
内側保持部１３の長さＬ１と外側保持部１４の長さＬ２は、任意に設定可能であるが、両保持部１３、１４により容器Ｋの上端部をグラツキなく保持するため、少なくとも１０ｍｍ以上の長さに設定することが好ましい。また、内側保持部１３の長さＬ１は、長すぎると内側保持部１３の下端部が容器Ｋ内の内容物Ｗに漬かってしまうので、１０ｍｍ以上、２０ｍｍ以下に設定することが好ましい。更に、内側保持部１３の長さＬ１は、外側保持部１４の長さＬ２よりも短尺に設定され、これによりストロー保持具１０を容器Ｋの上端部に固定するときに、外側保持部１４で容器Ｋの上端部を案内しながら両保持部１３、１４間に容器Ｋの上端部を挿入できるように構成されている。
【００２７】
内側保持部１３の基部における挟持方向の幅Ｄ１と外側保持部１４の基部における挟持方向の幅Ｄ２は、任意に設定可能であるが、両保持部１３、１４により容器Ｋの上端部をグラツキなく保持するため、５ｍｍ以上に設定することが好ましく、また材料コストを低減するとともに両保持部１３、１４間への容器Ｋの上端部の挿入性を確保するため、１８ｍｍ以下に設定することが好ましい。また、外側保持部１４の幅Ｄ２は内側保持部１３の幅Ｄ１よりも幅広に設定され、外側保持部１４の強度、剛性を高めて、容器Ｋの上端部に取り付けたストロー保持具１０のグラツキを一層効果的に防止できるように構成されている。
【００２８】
尾翼部１７の基部にはストローＳを傾斜状に容器Ｋに保持するためのストロー保持孔１２が形成されている。このストロー保持孔１２の直径は、ストローＳの外径と略同径或いはストローＳの外径よりもやや大きな直径に設定され、ストローＳの途中部を安定性良く保持できるように構成されている。但し、ストロー保持孔１２は、図５に示すストロー保持孔１２Ａのように、ストローＳの挿入性を向上するため、少なくとも上端側を下端側よりも拡径させたテーパ孔状に形成することが好ましい。また、直径の異なるストローＳであっても保持できるように、図６（ａ）に示すストロー保持孔１２Ｂのように、ストロー保持孔１２Ａの拡径を促進する放射状の切れ目１２ｂを形成したり、図６（ｂ）に示すストロー保持孔１２Ｃのように、尾翼部１７の後端部まで延びる切り込み１２ｃを入れたりしたものを採用することも好ましい実施の形態である。
【００２９】
このストロー保持具１０を用いて容器ＫにストローＳを固定する際には、ストローＳをストロー保持孔１２に挿入して、ストロー保持具１０にストローＳの途中部を固定した状態で、外側保持部１４の挟持面１４ａを容器Ｋの上端部の外周面に圧接させて、外側保持部１４を外側へ弾性変形させながら、図２に示すように、外側保持部１４と内側保持部１３間の奥部まで容器Ｋの上端部を挿入し、挟持面１３ａ、１４ａで容器Ｋの上端近傍部を挟持して、ストロー保持具１０を容器Ｋの上端部に固定保持する。但し、ストロー保持具１０を、容器Ｋの上端部に固定してから、ストロー保持孔１２にストローＳを挿通固定することも可能である。
【００３０】
こうして、ストロー保持具１０により容器Ｋに対してストローＳを斜めに保持させた状態で、容器Ｋを手で持って、ストローＳの上端開口部を口まで移動させ、ストローＳで容器Ｋ内の内容物Ｗを飲むことになる。
【００３１】
次に、複数のストロー保持具１０を１セットにして収容する陳列用収容箱２０について説明する。
図７、図８に示すように、陳列用収容箱２０は、ストロー保持具１０をその厚さ方向に対して略隙間なく収容可能な扁平な透明ケース２１と、透明ケース２１よりも薄肉の扁平な角筒状の中敷き２２とを備えている。
【００３２】
透明ケース２１は、透明樹脂シートを扁平な箱状に折曲したもので、透明ケース２１の正面部２１ａの上端部と下端部とには開閉フラップ２３が設けられ、一方の開閉フラップ２３を開放して、ストロー保持具１０を中敷き２２とともに透明ケース２１内に装填できるように構成されている。透明ケース２１の後面部には上方へ延びる突片２４が形成され、突片２４の略中央部には引っ掛け孔２５が形成され、片持ち状に配置した図示外の陳列用ハンガーに引っ掛け孔２５を挿通させて、陳列用収容箱２０を前後複数吊るした状態で陳列できるように構成されている。
【００３３】
中敷き２２は、厚紙を角筒状に折曲して製作したもので、中敷き２２の正面寸法は透明ケース２１と略同じ寸法に形成され、中敷き２２の正面部２２ａにはストロー保持具１０Ａ、１０Ｂ、１０Ｃの外縁形状に適合する複数の嵌め込み孔２６Ａ、２６Ｂ、２６Ｃが形成され、嵌め込み孔２６Ａ、２６Ｂ、２６Ｃにストロー保持具１０Ａ、１０Ｂ、１０Ｃを装填した状態で、中敷き２２とともに複数のストロー保持具１０を透明ケース２１内に装填可能に構成されている。
【００３４】
この陳列用収容箱２０では、中敷き２２の正面部２２ａに形成した嵌め込み孔２６Ａ、２６Ｂ、２６Ｃにストロー保持具１０Ａ、１０Ｂ、１０Ｃをセットすることで、複数のストロー保持具１０を陳列用収容箱２０に整然とセットでき、しかも透明ケース２１に中敷き２２とともにセットするので、透明ケース２１内に整然とセットされた複数のストロー保持具１０を、透明ケース２１の正面部２１ａを通して目視可能に体裁よく陳列することができる。また、中敷き２２の後面に対して取り扱い説明等を印刷することで、透明ケース２１に対する印刷を極力少なくしつつ、見栄えの良い陳列用収容箱２０を構成できる。また、前述のように陳列用ハンガーに対して複数の陳列用収容箱２０を前後に吊るした状態で陳列できるので、少ない陳列スペースでも見栄え良くストロー保持具１０を陳列することができる。尚、陳列用収容箱２０に装填可能なストロー保持具１０の個数は、透明ケース２１の寸法に応じて任意に設定することができる。また、形状の異なる３つのストロー保持具１０を１セットにして透明ケース２１に装填したが、同一形状で異なる色の複数のストロー保持具１０や、形状及び色の異なるストロー保持具１０を透明ケース２１に装填することも可能である。
【図面の簡単な説明】
【００３５】
【図１】ストロー保持具の使用状態の斜視図
【図２】ストロー保持具の取り付け状態を示す断面図
【図３】（ａ）〜（ｃ）は形状の異なる３種類のストロー保持具の斜視図
【図４】ストロー保持具の製造方法の説明図
【図５】他の構成のストロー保持孔を示すストロー保持具の尾翼部付近の断面図
【図６】（ａ）（ｂ）は他の構成のストロー保持孔の平面図
【図７】ストロー保持具を内装した陳列用収容箱の斜視図
【図８】ストロー保持具及び陳列用収容箱の分解斜視図
【符号の説明】
【００３６】
１０    ストロー保持具    １０Ａ  ストロー保持具
１１Ｂ  ストロー保持具    １０Ｃ  ストロー保持具
１１    容器保持部        １２    ストロー保持孔
１２Ａ  ストロー保持孔    １２Ｂ  ストロー保持孔
１２ｂ  切れ目            １２Ｃ  ストロー保持孔
１２ｃ  切り込み          １３    内側保持部
１３ａ  挟持面            １３ｂ  収容凹部
１４    外側保持部        １４ａ  挟持面
１４ｂ  収容凹部          １５    頭部
１６    胴体部            １７    尾翼部
１８    発泡合成樹脂板
２０    陳列用収容箱      ２１    透明ケース
２１ａ  正面部            ２２    中敷き
２２ａ  正面部            ２３    開閉フラップ
２４    突片              ２５    引っ掛け孔
２６Ａ  嵌め込み孔        ２６Ｂ  嵌め込み孔
２６Ｃ  嵌め込み孔
Ｋ      容器              Ｓ      ストロー
Ｗ      内容物
【図１】
0003123766.tif 000003
【図２】
0003123766.tif 000004
【図３】
0003123766.tif 000005
【図４】
0003123766.tif 000006
【図５】
0003123766.tif 000007
【図６】
0003123766.tif 000008
【図７】
0003123766.tif 000009
【図８】
0003123766.tif 000010